(57)【要約】【課題】待ち受け画面に表示された指示情報を選択することにより、機能の設定を待ち受け画面上で簡単行うことができる。【解決手段】本発明に係る情報処理装置に適用可能なカメラ付ディジタル携帯電話機においては、主制御部３１は、ＬＣＤ制御部３６を制御して、待ち受け画面に表示された指示情報により指示される機能の設定に関する設定情報を待ち受け画面に液晶ディスプレイ１７に表示させ、操作入力制御部３３を介して、複数の設定情報のうち１つの設定情報の選択を受け付ける。主制御部３１は、選択が受け付けられた設定情報に基づき機能の設定の解除または変更を行い、機能の設定の解除または変更に従い、液晶ディスプレイ１７の待ち受け画面に表示される指示情報の表示を制御する。【選択図】  図３
2008005456.tif 000002
【特許請求の範囲】
【請求項１】
待ち受け画面に表示された指示情報により指示される機能の設定に関する設定情報を前記待ち受け画面に表示する表示手段と、
複数の前記設定情報のうち、１つの前記設定情報の選択を受け付ける設定情報受付手段と、
前記設定情報受付手段により選択が受け付けられた前記設定情報に基づいて、機能の設定の解除または変更を行う解除変更手段と、
前記解除変更手段による機能の設定の解除または変更に従い、前記表示手段による前記指示情報の表示を制御する制御手段とを備えることを特徴とする携帯電話機。
【請求項２】
前記待ち受け画面に表示された少なくとも１つ以上の前記指示情報の中から、１つの前記指示情報の選択を受け付ける指示情報受付手段をさらに備え、
前記表示手段は、前記指示情報受付手段により選択が受け付けられた前記指示情報により指示される機能の設定に関する前記設定情報を前記待ち受け画面に表示することを特徴とする請求項１に記載の携帯電話機。
【請求項３】
前記解除変更手段により機能の設定が解除された場合、前記制御手段は、前記解除変更手段による機能の設定の解除に従い、前記表示手段により現在表示されている前記指示情報を表示しないように制御することを特徴とする請求項１に記載の携帯電話機。
【請求項４】
前記解除変更手段により機能の設定が変更された場合、前記制御手段は、前記解除変更手段による機能の設定の変更に従い、前記表示手段により現在表示されている前記指示情報を、変更後の機能の設定を指示する前記指示情報に変更して表示するように制御することを特徴とする請求項１に記載の携帯電話機。
【請求項５】
前記待ち受け画面に表示された前記指示情報に指示される機能の設定が解除されている場合、前記設定情報受付手段により選択が受け付けられた前記設定情報に基づいて、機能を設定する設定手段をさらに備え、
前記制御手段は、前記設定手段による機能の設定に従い、前記表示手段による前記指示情報の表示を制御することを特徴とする請求項１に記載の携帯電話機。
【発明の詳細な説明】
【技術分野】
【０００１】
本発明は携帯電話機に係り、特に、待ち受け画面に機能の設定をアイコンとして表示することができるようにした携帯電話機に関する。
【背景技術】
【０００２】
近年、携帯電話機には、非常に多くの機能が搭載されるようになってきており、操作対象となる機能の設定を簡単に行うことができるようにするために、多くの機能を種類別、目的別に予め分類し、各機能の設定メニュを階層構造化するようにしている。
【０００３】
ユーザは、このような階層構造となっている各機能の設定メニュを用いて、好みに合わせて各機能を適宜設定する。しかし、各機能の設定状態をすべて覚えておくことは困難であるため、予め設定された各機能の設定状態をユーザが容易に視認することができるように、待ち受け画面に各機能の設定状態などを示すアイコンがそれぞれ表示される。
【０００４】
待ち受け画面に各機能の設定状態などを示すアイコンを表示する方法として、表示画面を有効に利用しつつ、機能設定メニュを簡単に呼び出して、機能設定を円滑かつ迅速に行う方法が提案されている（例えば、特許文献１参照）。
【０００５】
特許文献１に提案されている方法によれば、待ち受け画面上の上縁部領域に、ダイヤルロック／シークレットモード設定通知アイコンなどを表示させ、待ち受け画面上の下縁部領域に、バイブレータ設定通知アイコンなどを表示させる。そして、ユーザが操作キーを操作して、例えばバイブレータ設定通知アイコンを選択し、確定キーを押すと、待ち受け画面からバイブレータ設定メニュに表示画面が切り替えられる。
【０００６】
ところで、待ち受け画面に表示されるアイコンに予め対応付けられた機能の設定の解除・変更などを行う場合、ユーザは、予め決められた方法を用いて機能の設定の解除・変更などを行う。具体的には、例えば、待ち受け画面が表示されている状態でサイドキーを長押し（例えば１秒程度）すると、マナーモードに設定することができ、現在その携帯電話機がマナーモードである旨のアイコンが表示される。
【０００７】
このような操作により、ユーザは、マナーモードの設定を変更することができる。
【特許文献１】特開２００３−２９８７１５号公報
【発明の開示】
【発明が解決しようとする課題】
【０００８】
しかしながら、特許文献１に提案されている方法などの従来の方法では、表示画面を有効に利用しつつ、機能設定を行うための専用の画面などを用いて機能の設定の解除・変更などを行うことはできるが、そもそも、待ち受け画面に表示される各機能の設定などを示すアイコンがどの機能のどの設定状態であるか何ら明示されておらず、ユーザが待ち受け画面に表示されるアイコンについて理解が不足している場合、そのアイコンの解除方法なども分からないため、携帯電話機の説明書などでわざわざ調べなければならないという課題があった。
【０００９】
特に、ユーザが無意識のうちに所定の機能の設定を行ってしまったような場合、携帯電話機の説明書を調べても解除方法などが分からない場合や、説明書のどこを調べたらよいか分からないという状況が起きてしまう。
【００１０】
また、機能設定を行うための専用の画面を用いて機能の設定の解除・変更を行う場合、わざわざ、待ち受け画面から、機能設定を行うための専用の画面に切り替えなければならず、ユーザにとって操作性が悪いという課題があった。
【００１１】
本発明は、このような状況に鑑みてなされてものであり、待ち受け画面に表示された指示情報を選択することにより、機能の設定（例えば変更や解除など）を待ち受け画面上で簡単に行うことができる携帯電話機を提供することを目的とする。
【課題を解決するための手段】
【００１２】
本発明の携帯電話機は、上述した課題を解決するために、待ち受け画面に表示された指示情報により指示される機能の設定に関する設定情報を待ち受け画面に表示する表示手段と、複数の設定情報のうち、１つの設定情報の選択を受け付ける設定情報受付手段と、設定情報受付手段により選択が受け付けられた設定情報に基づいて、機能の設定の解除または変更を行う解除変更手段と、解除変更手段による機能の設定の解除または変更に従い、表示手段による指示情報の表示を制御する制御手段とを備えることを特徴とする。
【００１３】
本発明の携帯電話機においては、待ち受け画面に表示された指示情報により指示される機能の設定に関する設定情報が待ち受け画面に表示され、複数の設定情報のうち、１つの設定情報の選択が受け付けられ、選択が受け付けられた設定情報に基づいて、機能の設定の解除または変更が行われ、機能の設定の解除または変更に従い、指示情報の表示が制御される。
【発明の効果】
【００１４】
本発明によれば、待ち受け画面に表示された指示情報を選択することにより、機能の設定（例えば変更や解除など）を待ち受け画面上で簡単に行うことができる。
【発明を実施するための最良の形態】
【００１５】
以下、本発明の実施の形態について、図面を参照しながら説明する。
【００１６】
図１は、本発明に係る情報処理装置として適用可能なカメラ付ディジタル携帯電話機２の外観の構成を表している。なお、図１［Ａ］は、カメラ付ディジタル携帯電話機２を約１８０度に見開いたときの正面から見た外観の構成を表しており、図１［Ｂ］は、カメラ付ディジタル携帯電話機２を見開いたときの側面から見た外観の構成を表している。
【００１７】
図１［Ａ］および［Ｂ］に示されるように、カメラ付ディジタル携帯電話機２は、中央のヒンジ部１１を境に第１の筐体１２と第２の筐体１３とがヒンジ結合されており、ヒンジ部１１を介して矢印Ｘ方向に折り畳み可能に形成される。カメラ付ディジタル携帯電話機２の内部の所定の位置には、送受信用のアンテナ（後述する図３のアンテナ４４）が設けられており、内蔵されたアンテナを介して基地局（図示せず）との間で電波を送受信する。
【００１８】
第１の筐体１２には、その表面に「０」乃至「９」の数字キー、発呼キー、リダイヤルキー、終話・電源キー、クリアキー、および電子メールキーなどの操作キー１４が設けられており、操作キー１４を用いて各種指示を入力することができる。
【００１９】
第１の筐体１２には、操作キー１４として上部に十字キーと確定キーが設けられており、ユーザが十字キーを上下左右方向に操作することにより当てられたカーソルを上下左右方向に移動させることができる。具体的には、第２の筐体１３に設けられた液晶ディスプレイ１７に表示されている電話帳リストや電子メールのスクロール動作、簡易ホームページのページ捲り動作および画像の送り動作などの種々の動作を実行する。
【００２０】
また、確定キーを押下することにより、種々の機能を確定することができる。例えば第１の筐体１２は、ユーザによる十字キーの操作に応じて液晶ディスプレイ１７に表示された電話帳リストの複数の電話番号の中から所望の電話番号が選択され、確定キーが第１の筐体１２の内部方向に押圧されると、選択された電話番号を確定して電話番号に対して発呼処理を行う。
【００２１】
さらに、第１の筐体１２には、十字キーと確定キーの左隣に電子メールキーが設けられており、電子メールキーが第１の筐体１２の内部方向に押圧されると、メールの送受信機能を呼び出すことができる。十字キーと確定キーの右隣には、ブラウザキーが設けられており、ブラウザキーが第１の筐体１２の内部方向に押圧されると、Ｗｅｂページのデータを閲覧することが可能となる。なお、十字キーと確定キーの左右隣に設けられた電子メールキーおよびブラウザキーは、液晶ディスプレイ１７に表示される画面により例えば「Yes」や「No」などの種々の機能をもつことが可能であるため、それぞれ、soft１キーおよびsoft２キーと呼ばれる。
【００２２】
また、第１の筐体１２には、操作キー１４の下部にマイクロフォン１５が設けられており、マイクロフォン１５によって通話時のユーザの音声を集音する。また、第１の筐体１２には、カメラ付ディジタル携帯電話機２の操作を行うサイドキー１６が設けられている。
【００２３】
なお、第１の筐体１２は、背面側に図示しないバッテリパックが挿着されており、終話・電源キーがオン状態になると、バッテリパックから各回路部に対して電力が供給されて動作可能な状態に起動する。
【００２４】
ところで、第１の筐体１２には、第１の筐体１２の下部の所定の位置に抜差自在なメモリカード（後述する図３のメモリカード４６）を挿着するためのメモリカードスロット（図示せず）が設けられており、メモボタン（図示せず）が押下されるとメモリカードに通話中の相手の音声を記録したり、ユーザの操作に応じて電子メール、簡易ホームページ、ＣＣＤカメラで撮像した画像を記録することができる。
【００２５】
ここで、メモリカードは、ＮＡＮＤ型フラッシュメモリカードやＮＯＲ型フラッシュメモリカードなどに代表されるフラッシュメモリカードの一種であり、小型薄型形状のプラスチックケース内に電気的に書換えや消去が可能な不揮発性メモリであるフラッシュメモリ素子を格納したものであり、１０ピン端子を介して画像や音声、音楽等の各種データの書き込み及び読み出しが可能となっている。
【００２６】
また、メモリカードは、大容量化等による内蔵フラッシュメモリの仕様変更に対しても、使用する機器で互換性を確保することができる独自のシリアルプロトコルを採用し、高速性能を実現しているとともに、誤消去防止スイッチを設けて高い信頼性を確保している。
【００２７】
従って、カメラ付ディジタル携帯電話機２は、このようなメモリカードを挿着可能に構成されているために、メモリカードを介して他の電子機器との間でデータの共有化を図ることができる。
【００２８】
また、所定の機能を拡張するためのモジュール（チップ）をメモリカードに組み込み、メモリカードスロット（図示せず）にそれを装着させることにより、カメラ付ディジタル携帯電話機２の機能をさらに拡張させることができる。
【００２９】
例えば、非接触ＩＣ（Integrated Circuit）チップが組み込まれたメモリカードをカメラ付ディジタル携帯電話機２に装着することにより、非接触ＩＣチップがカメラ付ディジタル携帯電話機２に内蔵されていない場合であっても、非接触ＩＣチップが内蔵された場合と同様の電子決済機能などを有するように機能を拡張させることもできる。
【００３０】
一方、第２の筐体１３には、その正面に液晶ディスプレイ１７（メインディスプレイ）が設けられており、電波の受信状態、電池残量、電話帳として登録されている相手先名や電話番号及び送信履歴等の他、電子メールの内容、簡易ホームページ、ＣＣＤ（Charge Coupled Device）カメラ（後述する図２のＣＣＤカメラ２０）で撮像した画像、外部のコンテンツサーバ（図示せず）より受信したコンテンツ、メモリカード（後述する図３のメモリカード４６）に記憶されているコンテンツを表示することができる。また、液晶ディスプレイ１７の上部の所定の位置にはスピーカ１８が設けられており、これにより、ユーザは音声通話することが可能である。
【００３１】
また、第１の筐体１２と第２の筐体１３の内部の所定の位置には、カメラ付ディジタル携帯電話機２の状態を検知するための磁気センサ１９a、１９b、１９c、および１９dが設けられる。
【００３２】
図２は、本発明に係る情報処理装置として適用可能なカメラ付ディジタル携帯電話機２の他の外観の構成を表している。図２のカメラ付ディジタル携帯電話機２の状態は、図１のカメラ付ディジタル携帯電話機２の状態から矢印Ｘ方向に回動させた状態である。なお、図２［Ａ］は、カメラ付ディジタル携帯電話機２を閉じたときの正面から見た外観の構成を表しており、図２［Ｂ］は、カメラ付ディジタル携帯電話機２を閉じたときの側面から見た外観の構成を表している。
【００３３】
第２の筐体１３の上部には、ＣＣＤカメラ２０が設けられており、これにより、所望の撮影対象を撮像することができる。ＣＣＤカメラ２０の下部には、サブディスプレイ２１が設けられており、現在のアンテナの感度のレベルを示すアンテナピクト、カメラ付ディジタル携帯電話機２の現在の電池残量を示す電池ピクト、現在の時刻などが表示される。
【００３４】
サブディスプレイ２１の下部には、さらに、静電タッチパッド２２が設けられる。静電タッチパッド２２は、見かけ上一枚のタッチパッドになっているが、図示せぬセンサが複数個所に設けられており、ユーザがセンサの付近をタッチすると、センサがそれを検知し、巻戻し機能、早送り機能、音量ダウン動作、音量アップ動作、再生動作、および一時停止動作などが実行される。
【００３５】
図３は、本発明に係る情報処理装置として適用可能なカメラ付ディジタル携帯電話機２の内部の構成を表している。
【００３６】
図３に示されるように、カメラ付ディジタル携帯電話機２は、第１の筐体１２及び第２の筐体１３の各部を統括的に制御する主制御部３１に対して、電源回路部３２、操作入力制御部３３、画像エンコーダ３４、カメラインタフェース部３５、ＬＣＤ（Liquid Crystal Display）制御部３６、多重分離部３８、変復調回路部３９、音声コーデック４０、および記憶部４７がメインバス４１を介して互いに接続されるとともに、画像エンコーダ３４、画像デコーダ３７、多重分離部３８、変復調回路部３９、音声コーデック４０、および記録再生部４５が同期バス４２を介して互いに接続されて構成される。
【００３７】
電源回路部３２は、ユーザの操作により終話・電源キーがオン状態にされると、バッテリパックから各部に対して電力を供給することによりカメラ付ディジタル携帯電話機２を動作可能な状態に起動する。
【００３８】
主制御部３１は、ＣＰＵ（Central Processing Unit）、ＲＯＭ（Read Only Memory）、およびＲＡＭ（Random Access Memory）などでからなり、ＣＰＵは、ＲＯＭに記憶されているプログラムまたは記憶部４７からＲＡＭにロードされた各種のアプリケーションプログラムに従って各種の処理を実行するとともに、種々の制御信号を生成し、各部に供給することによりカメラ付ディジタル携帯電話機２を統括的に制御する。ＲＡＭは、ＣＰＵが各種の処理を実行する上において必要なデータなどを適宜記憶する。
【００３９】
なお、主制御部３１には、現在の日付と時刻を正確に計測するタイマが内蔵されている。ここで、ＣＰＵが実行する種々のアプリケーションプログラムは、ＲＯＭや記憶部４７に予めインストールしておくことができる。また、ＣＰＵが実行する種々のアプリケーションプログラムは、図示せぬ基地局を介して通信によってカメラ付ディジタル携帯電話機２にダウンロードすることにより、記憶部４７にインストールすることができる。さらに、ＣＰＵが実行する種々のアプリケーションプログラムは、メモリカード４６に記録しておき、記録再生部４５によって読み出して、記憶部４７にインストールすることも可能である。
【００４０】
カメラ付ディジタル携帯電話機２は、主制御部３１の制御に基づいて、音声通話モード時にマイクロフォン１５で集音した音声信号を音声コーデック４０によってディジタル音声信号に変換、圧縮し、これを変復調回路部３９でスペクトラム拡散処理し、送受信回路部４３でディジタルアナログ変換処理及び周波数変換処理を施した後にアンテナ４４を介して送信する。
【００４１】
また、カメラ付ディジタル携帯電話機２は、音声通話モード時にアンテナ４４で受信した受信信号を増幅して周波数変換処理及びアナログディジタル変換処理を施し、変復調回路部３９でスペクトラム逆拡散処理し、音声コーデック４０によって伸張し、アナログ音声信号に変換した後、変換されたアナログ音声信号をスピーカ１８を介して出力する。
【００４２】
さらに、カメラ付ディジタル携帯電話機２は、データ通信モード時に電子メールを送信する場合、操作キー１４の操作によって入力された電子メールのテキストデータを操作入力制御部３３を介して主制御部３１に送出する。主制御部３１は、テキストデータを変復調回路部３９でスペクトラム拡散処理し、送受信回路部４３でディジタルアナログ変換処理及び周波数変換処理を施した後にアンテナ４４を介して基地局（図示せず）へ送信する。
【００４３】
これに対してカメラ付ディジタル携帯電話機２は、データ通信モード時に電子メールを受信する場合、アンテナ４４を介して基地局（図示せず）から受信した受信信号を変復調回路部３９でスペクトラム逆拡散処理して元のテキストデータを復元した後、ＬＣＤ制御部３６を介して液晶ディスプレイ１７に電子メールとして表示する。
【００４４】
その後カメラ付ディジタル携帯電話機２は、ユーザの操作に応じて受信した電子メールを記録再生部４５を介してメモリカード４６に記録することも可能である。
【００４５】
カメラ付ディジタル携帯電話機２は、画像信号を送信しない場合には、ＣＣＤカメラ２０で撮像した画像信号をカメラインタフェース部３５及びＬＣＤ制御部３６を介して液晶ディスプレイ１７に直接表示する。
【００４６】
カメラ付ディジタル携帯電話機２は、データ通信モード時に画像信号を送信する場合、ＣＣＤカメラ２０で撮像された画像信号をカメラインタフェース部３５を介して画像エンコーダ３４に供給する。
【００４７】
画像エンコーダ３４は、ＣＣＤカメラ２０から供給された画像信号を、例えばＭＰＥＧ（Moving Picture Experts Group）４などの所定の符号化方式によって圧縮符号化することにより符号化画像信号に変換し、変換された符号化画像信号を多重分離部３８に送出する。このとき同時にカメラ付ディジタル携帯電話機２は、ＣＣＤカメラ２０で撮像中にマイクロフォン１５で集音した音声を音声コーデック４０を介してディジタルの音声信号として多重分離部３９送出する。
【００４８】
多重分離部３９は、画像エンコーダ３４から供給された符号化画像信号と音声コーデック４０から供給された音声信号とを所定の方式で多重化し、その結果得られる多重化信号を変復調回路部３９でスペクトラム拡散処理し、送受信回路部４３でディジタルアナログ変換処理及び周波数変換処理を施した後にアンテナ４４を介して送信する。
【００４９】
これに対して、カメラ付ディジタル携帯電話機２では、データ通信モード時に、Ｗｅｂページのデータを受信することができる。
【００５０】
すなわち、カメラ付ディジタル携帯電話機２において、データ通信モードに、例えばＷｅｂページを要求するデータを送信すると、その要求に応じて、Ｗｅｂページのデータが基地局（図示せず）を介して送信される。このＷｅｂページのデータは、アンテナ４４を介して送受信回路部４３および変復調回路３９で受信される。送受信回路部４３および変復調回路３９は、受信したＷｅｂページのデータを主制御部３１に送出する。
【００５１】
主制御部３１は、Ｗｅｂページのデータを解釈し、その解釈に基づく画面（画像）を作成する。作成された画面は、主制御部３１からＬＣＤ制御部３６を介して液晶ディスプレイ１７に供給されて表示される。すなわち、主制御部３１のＲＯＭまたは記憶部４７には、少なくともＷｅｂブラウザのアプリケーションプログラムがインストールされており、主制御部３１のＣＰＵは、ＲＡＭ上でＷｅｂブラウザのアプリケーションプログラムを実行することで、Ｗｅｂブラウザとして機能し、Ｗｅｂページのデータの解釈などを行う。
【００５２】
また、カメラ付ディジタル携帯電話機２は、データ通信モード時に例えばＷｅｂページなどにリンクされた動画像ファイルのデータを受信する場合、アンテナ４４を介して基地局（図示せず）から受信した受信信号を変復調回路部３９でスペクトラム逆拡散処理し、その結果得られる多重化信号を多重分離部３８に送出する。
【００５３】
多重分離部３８は、多重化信号を分離することにより符号化画像信号と音声信号とに分け、同期バス４２を介して符号化画像信号を画像デコーダ３７に供給すると共に音声信号を音声コーデック４０に供給する。画像デコーダ３７は、符号化画像信号をＭＰＥＧ４などの所定の符号化方式に対応した復号化方式でデコードすることにより再生動画像信号を生成し、生成された再生動画像信号をＬＣＤ制御部３６を介して液晶ディスプレイ１７に供給する。これにより、例えば、Ｗｅｂページなどにリンクされた動画像ファイルに含まれる動画像データが表示される。
【００５４】
このとき同時に音声コーデック４０は、音声信号をアナログ音声信号に変換した後、これをスピーカ１８に供給し、これにより、例えば、Ｗｅｂページなどにリンクされた動画像ファイルに含まる音声信号が再生される。この場合も電子メールの場合と同様にカメラ付ディジタル携帯電話機２は、受信したＷｅｂページなどにリンクされたデータをユーザの操作により記録再生部４５を介してメモリカード４６に記録することが可能である。
【００５５】
記憶部４７は、例えば、電気的に書換えや消去が可能な不揮発性メモリであるフラッシュメモリ素子などからなり、主制御部３１のＣＰＵにより実行される種々のアプリケーションプログラムや種々のデータ群を格納している。また、記憶部４７は、必要に応じて、ユーザの操作に応じて受信した電子メールや、受信したＷｅｂページなどにリンクされた動画像ファイルに含まれる動画像データなどを記憶する。
【００５６】
［第１の実施形態］
次に、図４のフローチャートを参照して、図３のカメラ付ディジタル携帯電話機２における指示情報表示制御処理について説明する。この指示情報表示制御処理が実行される前に、まず、液晶ディスプレイ１７に図５の待ち受け画面５１−ａが表示され、ユーザが操作キー１４のうちの例えば十字キー（下キー）を操作することにより指示情報表示制御処理が開始される。
【００５７】
なお、図５は、図４の指示情報表示制御処理において液晶ディスプレイ１７に表示される表示画面の遷移を表している。また、待ち受け画面５１−ａには、サイドキー操作無効機能が設定されている状態であることを示すアイコンαと、マナーモードが通常マナーモードに設定されていることを示すアイコンβが表示されている。アイコンαやアイコンβを「指示情報」と定義する。
【００５８】
ステップＳ１において、主制御部３１は、操作入力制御部３３を介して、ユーザにより操作キー１４のうちの十字キー（下キー）が押されたか否かを判定し、ユーザにより操作キー１４のうちの十字キー（下キー）が押されたと判定するまで待機する。
【００５９】
ステップＳ１においてユーザにより操作キー１４のうちの十字キー（下キー）が押されたと判定された場合、主制御部３１はステップＳ２で、ＬＣＤ制御部３６を制御して、複数の指示情報（例えば、図５の待ち受け画５１−ａのアイコンαとアイコンβ）のうち、１つの指示情報（例えば、図５の待ち受け画５１−ａのアイコンα）が位置する領域をフォーカスして液晶ディスプレイ１７に表示させるとともに、その指示情報（例えば、図５の待ち受け画５１−ａのアイコンα）により指示される機能の設定に関する設定情報を待ち受け画面５１−ａに重畳して液晶ディスプレイ１７に表示させる。
【００６０】
液晶ディスプレイ１７は、ＬＣＤ制御部３６の制御に従い、図５の設定情報表示画面５１−ｂを表示する。図５の設定情報表示画面５１−ｂの例の場合、サイドキー操作無効機能が設定されている状態であることから、指示情報（図５の待ち受け画５１−ａのアイコンα）により指示される機能の設定に関する設定情報として、「サイドキー操作無効中です  解除しますか？」というメッセージダイアログが表示される。また、メッセージダイアログの下には、設定情報として、「Ｙｅｓ」と「Ｎｏ」というコマンド表示欄が表示される。これにより、ユーザは、現在、サイドキー操作無効機能が設定されている状態であることを知ることができ、以降の処理によりサイドキー操作無効機能の設定を解除できることを知ることができる。なお、液晶ディスプレイ１７に表示される指示情報により指示される機能の設定に関する設定情報には、機能に応じて、種々の内容を含めることが可能である。
【００６１】
ステップＳ３において、主制御部３１は、操作入力制御部３３を介して、ユーザにより操作キー１４のうちの十字キー（左右キー）が押されることにより他の指示情報の選択が受け付けられたか否かを判定する。
【００６２】
ステップＳ３においてユーザにより操作キー１４のうちの十字キー（左右キー）が押されることにより他の指示情報の選択が受け付けられたと判定された場合、処理はステップＳ２に戻り、ステップＳ２において選択が受け付けられた指示情報により指示される機能の設定に関する設定情報が液晶ディスプレイ１７に表示される。
【００６３】
すなわち、図５の例の場合、設定情報表示画面５１−ｂが表示されている状態で、ユーザにより操作キー１４のうちの十字キー（左キー）が押されることにより他の指示情報である例えばアイコンβの選択が受け付けられると、設定情報表示画面５１−ｃが液晶ディスプレイ１７に表示される。
【００６４】
図５の設定情報表示画面５１−ｃの例の場合、指示情報（図５の待ち受け画５１−ａのアイコンα）により指示される機能の設定に関する設定情報として、マナーモードとして設定することが可能な各種のマナーモードの設定情報（例えば、通常マナーモード、ドライブモード、オリジナルモード、およびマナーモード解除）が表示されるとともに、マナーモードが通常マナーモードに設定されている状態であることから、通常マナーモードの設定情報が表示されている領域がフォーカスされて表示される。これにより、ユーザは、マナーモードにおける設定情報には通常マナーモード、ドライブモード、オリジナルモード、およびマナーモード解除などがあり、現在、通常マナーモードに設定されていることが分かる。
【００６５】
ステップＳ３においてユーザにより操作キー１４のうちの十字キー（左右キー）が押されることにより他の指示情報の選択が受け付けられていないと判定された場合、主制御部３１はステップＳ４で、ユーザにより操作キー１４のうちの十字キー（上下キー）が押されることにより他の設定情報の選択が受け付けられたか否かを判定する。
【００６６】
ステップＳ４においてユーザにより操作キー１４のうちの十字キー（上下キー）が押されることにより他の設定情報の選択が受け付けられたと判定された場合、主制御部３１はステップＳ５で、ＬＣＤ制御部３６を制御して、液晶ディスプレイ１７に表示された設定情報のフォーカスの位置を移動させる。液晶ディスプレイ１７は、ＬＣＤ制御部３６の制御に従い、液晶ディスプレイ１７に表示された設定情報のフォーカスの位置を移動して表示する。
【００６７】
例えば、図５の設定情報表示画面５１−ｃの例の場合、ユーザにより操作キー１４のうちの十字キー（上下キー）が１回押されると、設定情報表示画面５１−ｄに遷移する。図５の設定情報表示画面５１−ｄの場合、ドライブモードの設定情報が表示されている領域がフォーカスされて表示される。
【００６８】
ステップＳ４においてユーザにより操作キー１４のうちの十字キー（上下キー）が押されることにより他の設定情報の選択が受け付けられていないと判定された場合、ステップＳ５の処理はスキップされ、処理はステップＳ６に進む。
【００６９】
ステップＳ６において、主制御部３１は、操作入力制御部３３を介して、ユーザにより操作キー１４のうちの確定キーが押されたか否かを判定する。
【００７０】
ステップＳ６においてユーザにより操作キー１４のうちの確定キーが押されたと判定された場合、主制御部３１はステップＳ７で、選択が受け付けられた設定情報に基づいて、機能の設定の解除または変更を行う。その後、主制御部３１は、機能の設定の解除または変更に関するデータを記憶部４７に記憶させる。記憶部４７は、主制御部３１の制御に従い、機能の設定の解除または変更に関するデータを記憶する。
【００７１】
図５の設定情報表示画面５１−ｂの例の場合、ユーザにより操作キー１４のうちの確定キーが押されると、選択が受け付けられた設定情報（「Ｙｅｓ」というコマンド表示欄）に基づいて、サイドキー操作無効機能の設定が解除される。その後、主制御部３１は、サイドキー操作無効機能の設定の解除に関するデータを記憶部４７に記憶させる。
【００７２】
また、図５の設定情報表示画面５１―ｄの場合、ユーザにより操作キー１４のうちの確定キーが押されると、選択が受け付けられた設定情報（ドライブモードという設定情報）に基づいて、マナーモードの設定が通常マナーモードからドライブモードに変更される。その後、主制御部３１は、マナーモードの設定の変更に関するデータを記憶部４７に記憶させる。
【００７３】
ステップＳ８において、主制御部３１は、機能の設定の解除または変更に従い、待ち受け画面に表示される指示情報の表示を制御する。すなわち、主制御部３１は、ＬＣＤ制御部３６を制御して、機能の設定の解除または変更に従い、待ち受け画面に表示される指示情報を液晶ディスプレイ１７に不表示にしたり、あるいは、他の指示情報に変更して表示する。
【００７４】
具体的には、図５の待ち受け画面５１−ｅの例の場合、ユーザにより操作キー１４のうちの確定キーが押されると、サイドキー操作無効機能の設定が解除され、待ち受け画面５１−ａに表示されていたサイドキー操作無効機能が設定されていることを示す指示情報（アイコンα）が不表示となる。
【００７５】
また、図５の待ち受け画面５１−ｆの例の場合、ユーザにより操作キー１４のうちの確定キーが押されると、マナーモードの設定が通常マナーモードからドライブモードに変更され、待ち受け画面５１−ａに表示されていた通常マナーモードに設定されていることを示す指示情報（アイコンβ）が、ドライブモードに設定されていることを示す指示情報（アイコンγ）に変更して表示する。
【００７６】
これにより、ユーザは、変更後に待ち受け画面に表示される指示情報（アイコン）を用いて、現在の機能の設定を知ることができる。
【００７７】
本発明の第１の実施形態においては、待ち受け画面に表示される指示情報により指示される機能の設定に関する設定情報を液晶ディスプレイ１７に表示し、設定情報に基づいて機能の設定の解除または変更を行い、それに伴い、待ち受け画面に表示される指示情報を不表示にしたり、他の指示情報に変更して表示するようにしたので、待ち受け画面に表示された指示情報について、ユーザに容易にその意味を通知することができ、ユーザが無意識のうちに機能の設定を行ってしまった場合であっても、ユーザは待ち受け画面に表示された指示情報により指示される機能を視認することにより容易に把握することができ、待ち受け画面に表示される指示情報を用いて機能の設定の解除または変更を簡単に行うことができる。
【００７８】
また、指示情報により指示される機能の設定に関する設定情報を待ち受け画面に重畳して表示するようにしたので、ユーザは、わざわざ、待ち受け画面とは異なる設定画面に切り替えることなく、待ち受け画面に表示された指示情報を選択することにより、待ち受け画面に表示された指示情報（設定情報）を用いて機能の設定の解除・変更を直接的に待ち受け画面で行うことができる。従って、カメラ付ディジタル携帯電話機の操作性を向上させることができる。なお、図４のフローチャートを用いて説明した指示情報表示制御処理においては、待ち受け画面に表示される複数の指示情報のうち、１つの指示情報の選択が受け付けられる度に、待ち受け画面に重畳して設定情報を表示するようにしたが、待ち受け画面に表示される複数の指示情報のうち、１つの指示情報の選択が受け付けられた後、さらにユーザにより確定キーが押されてから、待ち受け画面に重畳して設定情報を表示するようにしてもよい。これにより、液晶ディスプレイ１７を有効利用しつつ、ユーザの好みのタイミングに合わせて指示情報表示制御処理を実行することができ、カメラ付ディジタル携帯電話機２の操作性をより向上させることができる。
【００７９】
［第２の実施形態］
図６のフローチャートを参照して、図３のカメラ付ディジタル携帯電話機２における他の指示情報表示制御処理について説明する。なお、図６のステップＳ１９とステップＳ２０の処理は、図４のステップＳ７とステップＳ８の処理と同様であり、その説明は繰り返しになるので省略する。
【００８０】
この指示情報表示制御処理が実行される前に、まず、液晶ディスプレイ１７に図７の待ち受け画面５２−ａが表示され、ユーザが操作キー１４のうちの十字キー（下キー）を操作することにより指示情報表示制御処理が開始される。なお、図７は、図６の指示情報表示制御処理において液晶ディスプレイ１７に表示される表示画面の遷移を表している。また、待ち受け画面５２−ａには、サイドキー操作無効機能が設定されている状態であることを示す指示情報（アイコンα）と、マナーモードが通常マナーモードに設定されていることを示す指示情報（アイコンβ）が表示されている。
【００８１】
ステップＳ１１において、主制御部３１は、操作入力制御部３３を介して、ユーザにより操作キー１４のうちの十字キー（下キー）が押されたか否かを判定し、ユーザにより操作キー１４のうちの十字キー（下キー）が押されたと判定するまで待機する。
【００８２】
ステップＳ１１においてユーザにより操作キー１４のうちの十字キー（下キー）が押されたと判定された場合、主制御部３１はステップＳ１２で、ＬＣＤ制御部３６を制御して、複数の指示情報（例えば、図７の待ち受け画５２−ａのアイコンαとアイコンβ）のうち、１つの指示情報（例えば、図７の待ち受け画５２−ａのアイコンα）が位置する領域をフォーカスし、待ち受け画面５２−ｂを液晶ディスプレイ１７に表示させる。
【００８３】
ステップＳ１３において、主制御部３１は、操作入力制御部３３を介して、ユーザにより操作キー１４のうちの十字キー（左右キー）が押されることにより他の指示情報の選択が受け付けられたか否かを判定する。
【００８４】
ステップＳ１３においてユーザにより操作キー１４のうちの十字キー（左右キー）が押されることにより他の指示情報の選択が受け付けられたと判定された場合、処理はステップＳ１２に戻り、ステップＳ１３において選択が受け付けられた指示情報（例えば、図７の待ち受け画５２−ｂのアイコンβ）が位置する領域をフォーカスして、待ち受け画面５２−ｃを液晶ディスプレイ１７に表示させる。
【００８５】
ステップＳ１３においてユーザにより操作キー１４のうちの十字キー（左右キー）が押されることにより他の指示情報の選択が受け付けられていないと判定された場合、主制御部３１はステップＳ１４で、ユーザにより操作キー１４のうちの確定キーが押されたか否かを判定する。
【００８６】
ステップＳ１４においてユーザにより操作キー１４のうちの確定キーが押されていないと判定された場合、処理はステップＳ１３に戻り、ステップＳ１３以降の処理が繰り返される。
【００８７】
ステップＳ１４においてユーザにより操作キー１４のうちの確定キーが押されたと判定された場合、主制御部３１はステップＳ１５で、ＬＣＤ制御部３６を制御して、指示情報（例えば、図７の待ち受け画５２−ｂのアイコンα）により指示される機能の設定に関する設定情報を待ち受け画面５２−ｂに重畳して液晶ディスプレイ１７に表示させる。
【００８８】
液晶ディスプレイ１７は、ＬＣＤ制御部３６の制御に従い、図７の設定情報表示画面５２−ｄを表示する。図７の設定情報表示画面５２−ｄの例の場合、サイドキー操作無効機能が設定されている状態であることから、指示情報（図７の待ち受け画５２−ｂのアイコンα）により指示される機能の設定に関する設定情報として、「サイドキー操作無効中です  解除しますか？」というメッセージダイアログが表示される。また、メッセージダイアログの下には、設定情報として、「Ｙｅｓ」と「Ｎｏ」というコマンド表示欄が表示される。これにより、ユーザは、現在、サイドキー操作無効機能が設定されている状態であることを知ることができ、以降の処理によりサイドキー操作無効機能の設定を解除できることを知ることができる。
【００８９】
また、図７の設定情報表示画面５２−ｅの例の場合、指示情報（図７の待ち受け画５２−ｃのアイコンβ）により指示される機能の設定に関する設定情報として、マナーモードとして設定可能な各種のマナーモードの設定情報（例えば、通常マナーモード、ドライブモード、オリジナルモード、およびマナーモード解除）が表示されるとともに、マナーモードが通常マナーモードに設定されている状態であることから、通常マナーモードの設定情報が表示されている領域がフォーカスされて表示される。これにより、ユーザは、マナーモードの設定情報には通常マナーモード、ドライブモード、オリジナルモード、およびマナーモード解除などがあり、現在、通常マナーモードに設定されていることが分かる。
【００９０】
ステップＳ１６において、主制御部３１は、ユーザにより操作キー１４のうちの十字キー（上下キー）が押されることにより他の設定情報の選択が受け付けられたか否かを判定する。
【００９１】
ステップＳ１６においてユーザにより操作キー１４のうちの十字キー（上下キー）が押されることにより他の設定情報の選択が受け付けられたと判定された場合、主制御部３１はステップＳ１７で、ＬＣＤ制御部３６を制御して、液晶ディスプレイ１７に表示された設定情報のフォーカスの位置を移動させる。液晶ディスプレイ１７は、ＬＣＤ制御部３６の制御に従い、液晶ディスプレイ１７に表示された設定情報のフォーカスの位置を移動して表示する。
【００９２】
例えば、図７の設定情報表示画面５２−ｅの例の場合、ユーザにより操作キー１４のうちの十字キー（上下キー）が１回押されると、設定情報表示画面５２−ｆに遷移する。図７の設定情報表示画面５１−ｆの場合、ドライブモードの設定情報が表示されている領域がフォーカスされて表示される。
【００９３】
ステップＳ１６においてユーザにより操作キー１４のうちの十字キー（上下キー）が押されることにより他の設定情報の選択が受け付けられていないと判定された場合、ステップＳ１７の処理はスキップされ、処理はステップＳ１８に進む。
【００９４】
ステップＳ１８において、主制御部３１は、操作入力制御部３３を介して、ユーザにより操作キー１４のうちの確定キーが押されたか否かを判定する。
【００９５】
ステップＳ１８においてユーザにより操作キー１４のうちの確定キーが押されたと判定された場合、主制御部３１はステップＳ１９で、ステップＳ１９において機能の設定の解除処理または変更処理が行われ、その後、ステップＳ２０において指示情報の表示が制御される。
【００９６】
ステップＳ１８においてユーザにより操作キー１４のうちの確定キーが押されたと判定された場合、主制御部３１はステップＳ２１で、ユーザにより操作キー１４のうちの「戻る」に対応するキー（例えば、soft２キー）が押されたか否かを判定する。
【００９７】
ステップＳ２１においてユーザにより操作キー１４のうちの「戻る」に対応するキー（例えば、soft２キー）が押されたと判定された場合、処理はステップＳ１２に戻り、ステップＳ１２以降の処理が繰り返される。
【００９８】
すなわち、待ち受け画面５２−ｂまたは待ち受け画面５２−ｃに戻り、同様の指示情報表示制御処理が実行される。
【００９９】
一方、ステップＳ２１においてユーザにより操作キー１４のうちの「戻る」に対応するキー（例えば、soft２キー）が押されていないと判定された場合、処理はステップＳ１６に進み、ステップＳ１６以降の処理が繰り返される。これにより、ユーザは、操作キー１４のうち確定キーまたは「戻る」ボタンを押すまで、同じ設定情報表示画面（例えば、図７の設定情報表示画面５２−ｄ、５２−ｅ、および５２−ｆ）において複数の設定情報の中から所望の設定情報を選択することができる。
【０１００】
本発明の第２の実施形態においては、待ち受け画面に表示される指示情報により指示される機能の設定に関する設定情報を液晶ディスプレイ１７に表示し、設定情報に基づいて機能の設定の解除または変更を行い、それに伴い、待ち受け画面に表示される指示情報を不表示にしたり、他の指示情報に変更して表示するようにしたので、待ち受け画面に表示された指示情報について、ユーザに容易にその意味を通知することができ、ユーザが無意識のうちに機能の設定を行ってしまった場合であっても、ユーザは待ち受け画面に表示された指示情報により指示される機能を視認することにより容易に把握することができ、待ち受け画面に表示される指示情報を用いて機能の設定の解除または変更を簡単に行うことができる。
【０１０１】
また、液晶ディスプレイ１７を有効利用しつつ、ユーザの好みのタイミングに合わせて、適宜、指示情報により指示される機能の設定に関する設定情報を待ち受け画面に重畳して表示するようにしたので、ユーザは、わざわざ、待ち受け画面とは異なる設定画面に切り替えることなく、待ち受け画面に表示された指示情報を選択することにより、待ち受け画面に表示された指示情報を用いて機能の設定の解除・変更を直接的に待ち受け画面で行うことができる。従って、カメラ付ディジタル携帯電話機の操作性をより向上させることができる。
【０１０２】
なお、例えば図７において指示情報を表示する場合、図７の待ち受け画面５２−iに示されるように、設定が現在解除されている機能に対応する指示情報を、アイコンα´のように実線ではなく半透明（あるいは点線）などにより表示して、その指示情報（アイコンα´）を用いて機能を再度設定するようにしてもよい。その後、待ち受け画面５２−iから待ち受け画面５２−ｄに遷移し、再度設定された機能に対応する指示情報（アイコンα´）は、アイコンαのように実線で表示される。また、設定が現在解除されている機能に対応する指示情報を表示する場合、現在設定されている機能に対応する指示情報（アイコン）が表示されている列の下段に実線、半透明、点線などで表示するようにしてもよい。
【０１０３】
ところで、カメラ付ディジタル携帯電話機２に搭載されている機能（例えば、メモ帳機能など）によっては、機能の設定に関する設定情報を待ち受け画面に重畳して表示するだけでなく、待ち受け画面上に機能を編集する編集画面を表示した方がユーザにとって操作しやすい場合がある。そこで、ユーザにより操作キー１４が操作されることにより待ち受け画面の指示情報の選択が受け付けられると、選択が受け付けられた指示情報により指示される機能を編集する編集画面を待ち受け画面に重畳して表示するようにしてもよい。これにより、ユーザは、待ち受け画面に表示される指示情報を直接的に操作することができ、カメラ付ディジタル携帯電話機２の操作性をより向上させることができる。以下、この場合における指示情報表示制御処理について説明する。
【０１０４】
［第３の実施形態］
図８のフローチャートを参照して、図３のカメラ付ディジタル携帯電話機２における指示情報表示制御処理について説明する。この指示情報表示制御処理が実行される前に、まず、液晶ディスプレイ１７に図９の待ち受け画面５３−ａが表示され、ユーザが操作キー１４のうちの十字キー（下キー）を操作することにより指示情報表示制御処理が開始される。
【０１０５】
なお、図９は、図８の指示情報表示制御処理において液晶ディスプレイ１７に表示される表示画面の遷移を表している。また、待ち受け画面５３−ａには、メモリカード４６の閲覧等の機能を示す指示情報（アイコンα）、留守番電話機能を示す指示情報（アイコンβ）、メモ帳機能を示す指示情報（アイコンγ）、アラーム機能を示す指示情報（アイコンδ）、および、マナーモードが通常マナーモードに設定されていることを示す指示情報（アイコンε）が表示されている。
【０１０６】
ステップＳ３１において、主制御部３１は、操作入力制御部３３を介して、ユーザにより操作キー１４のうちの十字キー（下キー）が押されたか否かを判定し、ユーザにより操作キー１４のうちの十字キー（下キー）が押されたと判定するまで待機する。
【０１０７】
ステップＳ３１においてユーザにより操作キー１４のうちの十字キー（下キー）が押されたと判定された場合、主制御部３１はステップＳ３２で、ＬＣＤ制御部３６を制御して、複数の指示情報（例えば、図９の待ち受け画５３−ａのアイコンα乃至アイコンε）を拡大して表示するとともに、そのうちの１つの指示情報（例えば、図９の待ち受け画面５３−ａのアイコンγ）をさらに拡大して、かつ、フォーカスし、待ち受け画面５３−ｂを液晶ディスプレイ１７に表示させる。
【０１０８】
ステップＳ３３において、主制御部３１は、操作入力制御部３３を介して、ユーザにより操作キー１４のうちの十字キー（左右キー）が押されることにより他の指示情報の選択が受け付けられたか否かを判定する。
【０１０９】
ステップＳ３３においてユーザにより操作キー１４のうちの十字キー（左右キー）が押されることにより他の指示情報の選択が受け付けられたと判定された場合、処理はステップＳ３２に戻り、選択が受け付けられた指示情報（例えば、図９の待ち受け画５３−ｂのアイコンγ）をさらに拡大し、かつ、フォーカスして、待ち受け画面５３−ｃを液晶ディスプレイ１７に表示させる。
【０１１０】
なお、ユーザが操作キー１４のうちの左キーを繰り返し押すと、図１０［Ａ］乃至［Ｅ］に示されるように、選択が受け付けられた指示情報（例えば、図９の待ち受け画５３−ｂのアイコンα乃至ε）を所定の順番で（アイコンγ→アイコンδ→アイコンε→アイコンα→アイコンβ→アイコンγ…の順番で）さらに拡大し、かつ、フォーカスして、待ち受け画面５３−ｃを液晶ディスプレイ１７に表示させる。
【０１１１】
反対に、ユーザが操作キー１４のうちの右キーを繰り返し押すと、図１０［Ａ］乃至［Ｅ］に示されるように、選択が受け付けられた指示情報（例えば、図９の待ち受け画５３−ｂのアイコンα乃至ε）を所定の順番で（アイコンγ→アイコンβ→アイコンα→アイコンε→アイコンδ→アイコンγ…の順番で）さらに拡大し、かつ、フォーカスして、待ち受け画面５３−ｃを液晶ディスプレイ１７に表示させる。
【０１１２】
ステップＳ３３においてユーザにより操作キー１４のうちの十字キー（左右キー）が押されることにより他の指示情報の選択が受け付けられていないと判定された場合、主制御部３１はステップＳ３４で、ユーザにより操作キー１４のうちの確定キーが押されたか否かを判定する。
【０１１３】
ステップＳ３４においてユーザにより操作キー１４のうちの確定キーが押されていないと判定された場合、処理はステップＳ３３に戻り、ステップＳ３３以降の処理が繰り返される。
【０１１４】
ステップＳ３４においてユーザにより操作キー１４のうちの確定キーが押されたと判定された場合、主制御部３１はステップＳ３５で、ＬＣＤ制御部３６を制御して、指示情報（例えば、図９の待ち受け画５３−ｂのアイコンγ）により指示される機能を編集する編集画面を待ち受け画面５３−ｂに重畳して液晶ディスプレイ１７に表示させる。
【０１１５】
液晶ディスプレイ１７は、ＬＣＤ制御部３６の制御に従い、図９の編集画面５３−ｄを表示する。図９の編集画面５３−ｄの例の場合、メモ帳機能を編集する編集画面が表示される。これにより、ユーザは、以降の処理により、メモ帳機能を編集することができることを知ることができる。なお、ユーザにより操作キー１４のうちの確定キーが押されると、待ち受け画面に表示された指示情報（例えば、図９の待ち受け画面５３−ｂのアイコンγ）は図１１のｐ乃至ｓのように徐々に拡大されて表示され、あたかも、待ち受け画面に表示された指示情報をそのまま拡大したように編集画面（例えば、図９の編集画面５３−ｄ）が表示される。
【０１１６】
図９の編集画面５３−ｅの例の場合、アラーム機能を編集する編集画面が表示される。これにより、ユーザは、以降の処理により、アラーム機能を編集することができることを知ることができる。
【０１１７】
ステップＳ３６において、主制御部３１は、ユーザにより操作キー１４のうちの十字キー（上下左右キー）が押されることにより編集画面上における他の編集部分の選択が受け付けられたか否かを判定する。
【０１１８】
ステップＳ３６においてユーザにより操作キー１４のうちの十字キー（上下左右キー）が押されることにより編集画面上における他の編集部分の選択が受け付けられたと判定された場合、主制御部３１はステップＳ３７で、ＬＣＤ制御部３６を制御して、液晶ディスプレイ１７に表示された編集画面上における編集部分のフォーカスの位置を移動させる。液晶ディスプレイ１７は、ＬＣＤ制御部３６の制御に従い、液晶ディスプレイ１７に表示された編集画面上における編集部分のフォーカスの位置を移動して表示する。
【０１１９】
例えば、図９の編集画面５３−ｄまたは５３−ｅの例の場合、ユーザにより操作キー１４のうちの十字キー（上下左右キー）が１回押されると、編集画面５３−ｄまたは５３−ｅ上において編集部分のフォーカスの位置が上下左右に１つ移動されて表示される。
【０１２０】
これにより、ユーザは、機能の編集を簡単に行うことができる。
【０１２１】
ステップＳ３６においてユーザにより操作キー１４のうちの十字キー（上下左右キー）が押されることにより編集画面上における編集部分の選択が受け付けられていないと判定された場合、ステップＳ３７の処理はスキップされ、処理はステップＳ３８に進む。
【０１２２】
ステップＳ３８において、主制御部３１は、操作入力制御部３３を介して、ユーザにより操作キー１４が操作されることにより機能の編集の指示を受けたか否かを判定し、ユーザにより操作キー１４が操作されることにより機能の編集の指示を受けたと判定するまで待機する。
【０１２３】
ステップＳ３８においてユーザにより操作キー１４が操作されることにより機能の編集の指示を受けたと判定された場合、主制御部３１はステップＳ３９で、操作入力制御部３３を介して、ユーザにより操作キー１４のうちの確定キーが押されたか否かを判定する。
【０１２４】
ステップＳ３９においてユーザにより操作キー１４のうちの確定キーが押されたと判定された場合、主制御部３１はステップＳ４０で、ユーザにより操作キー１４が操作されることにより受けた編集の指示に基づいて、機能の編集を行う。具体的には、図９の編集画面５３−ｄの例の場合、メモ帳に記述された内容が編集される。また、図９の編集画面５３−ｅの例の場合、ユーザによりさらに操作キー１４のうちの確定キーが押されると、編集画面５３−ｆが表示され、アラームの時間を例えば「７：００」から「６：３０」に編集することができる。主制御部３１は、機能の編集結果を記憶部４７に記憶させる。記憶部４７は、主制御部３１の制御に従い、機能の編集結果を記憶する。その後、指示情報表示制御処理は終了する。
【０１２５】
ステップＳ４０においてユーザにより操作キー１４のうちの確定キーが押されていないと判定された場合、主制御部３１はステップＳ４１で、ユーザにより操作キー１４のうちの「戻る」に対応するキー（例えば、soft２キー）が押されたか否かを判定する。
【０１２６】
ステップＳ４１においてユーザにより操作キー１４のうちの「戻る」に対応するキー（例えば、soft２キー）が押されたと判定された場合、処理はステップＳ３２に戻り、ステップＳ３２以降の処理が繰り返される。
【０１２７】
ステップＳ４１においてユーザにより操作キー１４のうちの「戻る」に対応するキー（例えば、soft２キー）が押されていないと判定された場合、処理はステップＳ３６に戻り、ステップＳ３６以降の処理が繰り返される。
【０１２８】
本発明の第３の実施形態においては、待ち受け画面に表示される指示情報により指示される機能の編集画面を待ち受け画面に重畳して表示し、ユーザからの編集指示に基づいて機能の編集を行うようにしたので、待ち受け画面に表示される指示情報を用いて機能の編集を簡単に行うことができる。
【０１２９】
また、指示情報により指示される機能を編集する編集画面を待ち受け画面に重畳して表示するようにしたので、ユーザは、わざわざ、待ち受け画面とは異なる設定画面に切り替えることなく、待ち受け画面に表示された指示情報を用いて機能の編集を直接的に待ち受け画面で行うことができる。従って、カメラ付ディジタル携帯電話機の操作性をより向上させることができる。
【０１３０】
［第４の実施形態］
次に、上記に説明した実施形態とは別の実施の形態について説明する。
【０１３１】
図１２のフローチャートを参照して、図３のカメラ付ディジタル携帯電話機２における指示情報表示制御処理について説明する。この指示情報表示制御処理が実行される前に、まず、液晶ディスプレイ１７に図１３の待ち受け画面５４−ａが表示され、ユーザが操作キー１４のうちの例えば数字キーを操作することにより指示情報表示制御処理が開始される。
【０１３２】
なお、図１３は、図１２の指示情報表示制御処理において液晶ディスプレイ１７に表示される表示画面の遷移を表している。また、待ち受け画面５４−ａには、サイドキー操作無効機能が設定されている状態であることを示すアイコンαと、マナーモードが通常マナーモードに設定されていることを示すアイコンβと、メモリカード４６がカメラ付きディジタル携帯電話機２に装着されていることを示すアイコンδと、カメラ付きディジタル携帯電話機２に搭載されている近距離無線機能（図示しない）の待ち受け状態になっていることを示すアイコンζと、カメラ付きディジタル携帯電話機２に搭載されている音楽再生機能（図示しない）が起動していることを示すアイコンηと、着信があった場合に簡易留守メモ機能が動作する状態になっていることを示すアイコンθとが表示されている。また、アイコンα乃至アイコンθのそれぞれのアイコンの近傍に数字が表示されており、数字キーと表示されているアイコンとが予め対応付けられている。ここで、アイコンα乃至アイコンθを第１の実施形態乃至第３の実施形態と同様「指示情報」と定義する。
【０１３３】
ステップＳ５１において、主制御部３１は、操作入力制御部３３を介して、ユーザにより操作キー１４のうちの数字キー及び確定キーが押されたか否かを判定し、ユーザにより操作キー１４のうちの数字キーが押されたと判定されるとステップＳ５２に遷移する。なお、ステップＳ５１においての判定は、数字キーが押されたか否かの判定でもよいし、確定キー、数字キーの順で押されたか否かの判定でもよいし、数字キー、確定キーの順で押されたか否かの判定でもよい。
【０１３４】
ステップＳ５１においてユーザにより操作キー１４のうちの数字キー及び確定キーが押されたと判定された場合（Ｓ５１のＹｅｓ）、主制御部３１はステップＳ５２で、ＬＣＤ制御部３６を制御して、押下された数字キーに対応づけられたアイコンの意味および、設定・解除方法を読み出して表示し、その押下された数字キーに対応するアイコンにフォーカスを当てて表示する。
【０１３５】
例えば、図１３の５４−ａの表示がなされている状態で、数字キーの「１」が押されると、５４−ｂ１に示す表示に遷移し、更に確定キーが押されると、５４−ｃに示す表示に遷移し、アイコンβ（数字キー１に対応付けられているアイコン）にフォーカスが当てられる。また、図１３の５４−ａの表示がなされている状態で、数字キーの「２」が押されると、５４−ｂ２に示す表示に遷移し、更に確定キーが押されると、５４−ｄに示す表示に遷移し、アイコンθ（数字キー２に対応付けられているアイコン）にフォーカスが当てられる。
【０１３６】
一方、ステップＳ５１において、数字キーおよび確定キーが押されていないと判断された場合、主制御部３１はステップＳ５３で、操作キーのうち数字キー以外の所定キー（例えば「＊」キー、以下「＊」キーとして説明する）が押されたかを判定する。そして、「＊」キーが押されていない場合は、再度ステップＳ５１に遷移し、押されたと判断された場合は、ステップＳ５４に遷移する。
【０１３７】
次に、ステップＳ５３において、「＊」キーが押されると、主制御部３１はステップＳ５４で、待ち受け画面で表示されていた指示情報に関する意味、および設定・解除方法の一覧を記憶部４７から読み出し、ＬＣＤ制御部３６を制御して液晶ディスプレイ１４に表示させる。なお、指示情報に関する意味および設定・解除方法の一覧を表示する場合、例えばフォーカスを数字キー「１」に対応付けられたアイコンβにフォーカスを当てて表示する。図１３の表示例で説明すると、５４−ａの表示画面が表示されている状態で、「＊」キーが押されると、５４−ｃの表示画面に遷移する。
【０１３８】
なお、ステップＳ５３の押されるキーは「＊」キーに限定されることなく、他のキーでもよいし、「＊」キーと確定キーの双方がそれぞれ順に押されたか否かの判定でも、「＊」キーと他のキーとが同時に押されたか否かの判定でも、「＊」キーが長押しされたか否かの判定でもよい。
【０１３９】
なお、図１３の５４−ｃの画面においては、アイコンβ（数字キー１に対応）の意味がマナーモードの選択が通常マナーモードであって、その設定・解除方法がサイドキー１６を押した後に選択することで操作が可能である旨が示されている。また、アイコンθ（数字キー２に対応）の意味が簡易留守メモ設定であって、その設定・解除方法が、待ち受け画面で「＃」キー長押しで設定・解除できる旨が示されている。
【０１４０】
ステップＳ５２またはステップＳ５４における表示処理が主制御部３１により制御された後、ステップＳ５５に遷移し、ユーザにより操作キー１４のうちの十字キー（上下キー）が押されることにより他の設定情報の選択が受け付けられたか否かを判定する。
【０１４１】
ステップＳ５５においてユーザにより操作キー１４のうちの十字キー（上下キー）が押されることにより他の設定情報の選択が受け付けられたと判定された場合、主制御部３１はステップＳ５６で、ＬＣＤ制御部３６を制御して、液晶ディスプレイ１７に表示された設定情報のフォーカスの位置を移動させる。液晶ディスプレイ１７は、ＬＣＤ制御部３６の制御に従い、液晶ディスプレイ１７に表示された設定情報のフォーカスの位置を移動して表示する。
【０１４２】
例えば、図１３の設定情報表示画面５４−ｃの例の場合、ユーザにより操作キー１４のうちの十字キー（下キー）が１回押されると、設定情報表示画面５４−ｄに遷移する。設定情報表示画面５４−ｄの例の場合、ユーザにより操作キー１４のうちの十字キー（上キー）が１回押されると、設定情報表示画面５４−ｃに遷移する。
【０１４３】
なお、図１３の５４−ｄの画面においては、アイコンθ（数字キー２に対応）の意味が簡易留守メモ設定であって、その設定・解除方法が、待ち受け画面で「＃」キー長押しで設定・解除できる旨が示されていることに加え、アイコンα（数字キー３に対応）の意味が閉じた時のサイドキー操作が無効である旨の表示アイコンであって、その設定・解除方法が、待ち受け画面で確定キー（図では二重丸での表示）の長押しで設定解除できる旨が示されている。
【０１４４】
ステップＳ５５においてユーザにより操作キー１４のうちの十字キー（上下キー）が押されることにより他の設定情報の選択が受け付けられていないと判定された場合、処理はステップＳ５７に進む。
【０１４５】
ステップＳ５７において、主制御部３１は、操作入力制御部３３を介して、ユーザにより操作キー１４のうちの確定キーが押されたか否かを判定する。
【０１４６】
ステップＳ５７においてユーザにより操作キー１４のうちの確定キーが押されたと判定された場合、主制御部３１はステップＳ５８で、選択が受け付けられた設定情報に基づいて、機能の設定の解除または変更を行う。その後、主制御部３１は、機能の設定の解除または変更に関するデータを記憶部４７に記憶させる。記憶部４７は、主制御部３１の制御に従い、機能の設定の解除または変更に関するデータを記憶する。また、ステップＳ５７で確定キーが押されていないと判断された場合は、ステップＳ５５へ再度移行する。
【０１４７】
例えば、図１３の設定情報表示画面５４−ｄが表示されている状態でユーザにより操作キー１４のうちの確定キーが押されると、設定情報表示画面５４−ｅに示されるように、フォーカスが当てられていた設定情報に関する設定の解除又は変更を行うことができる。例えば、設定情報表示画面５４−ｅに示されるように、簡易留守メモ機能について、解除するか否かの選択画面を表示し、その状態で「Ｙｅｓ」というコマンドが選択されると、設定情報表示画面５４−ｆに示されるように簡易留守メモ機能が解除されて待ち受け画面に戻る。
【０１４８】
また、簡易留守メモ機能が解除するか否かの選択画面において、「Ｎｏ」というコマンドが選択されると、設定情報表示画面５４−ｄに戻る。
【０１４９】
例えば、ユーザが無意識のうちに「♯キー」を長押ししてしまい近距離無線通信機能を接続待ち状態にしてしまった場合であっても、待ち受け画面に表示される指示情報（アイコン）の意味が分からずに放置して電池を無駄に消耗してしまうことを防止することができる。
【０１５０】
本発明の第４の実施形態においては、待ち受け画面に表示された指示情報について、ユーザに容易にその意味を通知することができる。また、待ち受け画面に表示された指示情報を選択することにより、機能の設定（例えば変更や解除など）を待ち受け画面上で簡単に行うことができる。従って、カメラ付ディジタル携帯電話機の操作性を向上させることができ、ユーザの利便性を向上させる。
【０１５１】
なお、本発明の第４の実施形態においては、待ち受け画面（設定情報表示画面５４−ａ）から５４−ｃの画面に遷移する際は、図１４に示すような遷移画面で行うようにしてもよい。図１４の例の場合、待ち受け画面５６−ａにおいて、確定キーが押下されると、機能一覧画面５６−ｂが表示され、それぞれ機能画面Ｘ１乃至Ｘ６の表示がなされる。その中の「アイコン」選択画面Ｘ６を選択すると、図１４の表示画面５６−ｃに遷移するようにしてもよい。
【０１５２】
また、本発明の第４の実施形態においては、図１３の表示画面５４−ｃにおいて、待ち受け画面５４−ａから数字キーの「１」が押され、かつ確定キーが押された場合の表示画面と、待ち受け画面５４−ａから「＊」キーが押された（「＊」キーと確定キーとが押された場合なども含む）場合との表示画面を同じ設定情報表示画面５４−ｃにするようにしたが、このような場合に限定されず、例えば待ち受け画面５４−ａから数字キーの「１」が押され、かつ確定キーが押された場合の表示画面をアイコンβ（数字キー１に対応）のみの意味、およびその設定・解除方法が表示されるようにしてもよい。
【０１５３】
また、本発明の実施形態においては、指示情報の例としてアイコンを挙げたが、このような場合に限られず、機能または機能の設定を指示することできるものであればよい。さらに、指示情報としてのアイコンは、２次元のアイコンでもよいし、３次元のアイコンでもよい。
【０１５４】
なお、本発明は、携帯電話機以外にも、ＰＤＡ（Personal Digital Assistant）、パーソナルコンピュータ、その他の情報処理装置にも適用することができる。
【０１５５】
また、本発明の実施形態において説明した一連の処理は、ソフトウェアにより実行させることもできるが、ハードウェアにより実行させることもできる。
【０１５６】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【０１５７】
【図１】本発明に係る情報処理装置に適用可能なカメラ付ディジタル携帯電話機の外観の構成を示す図。
【図２】本発明に係る情報処理装置に適用可能なカメラ付ディジタル携帯電話機の他の外観の構成を示す図。
【図３】本発明に係る情報処理装置に適用可能なカメラ付ディジタル携帯電話機の内部の構成を示すブロック図。
【図４】図３のカメラ付ディジタル携帯電話機における指示情報表示制御処理を説明するフローチャート。
【図５】図４の指示情報表示制御処理におけて液晶ディスプレイに表示される表示画面の遷移図。
【図６】図３のカメラ付ディジタル携帯電話機における他の指示情報表示制御処理を説明するフローチャート。
【図７】図６の指示情報表示制御処理におけて液晶ディスプレイに表示される表示画面の遷移図。
【図８】図３のカメラ付ディジタル携帯電話機における他の指示情報表示制御処理を説明するフローチャート。
【図９】図８の指示情報表示制御処理におけて液晶ディスプレイに表示される表示画面の遷移図。
【図１０】図３の液晶ディスプレイに表示される指示情報の拡大表示の遷移を示す図。
【図１１】図３の液晶ディスプレイに表示される指示情報から編集画面までの遷移を示す図。
【図１２】図３のカメラ付ディジタル携帯電話機における他の指示情報表示制御処理を説明するフローチャート。
【図１３】図１２の指示情報表示制御処理におけて液晶ディスプレイに表示される表示画面の遷移図。
【図１４】図１２の指示情報表示制御処理におけて液晶ディスプレイに表示される表示画面の他の遷移図。
【符号の説明】
【０１５８】
２…カメラ付ディジタル携帯電話機、１１…ヒンジ部、１２…第１の筐体、１３…第２の筐体、１４…操作キー、１５…マイクロフォン、１６…サイドキー、１７…液晶ディスプレイ、１８…スピーカ、１９a乃至１９d…磁気センサ、２０…ＣＣＤカメラ、２１…サブディスプレイ、２２…静電タッチパッド、３１…主制御部、３２…電源回路、３３…操作入力制御部、３４…画像エンコーダ、３５…カメラI/F部、３６…ＬＣＤ制御部、３７…画像デコーダ、３８…多重分離部、３９…変復調回路部、４０…音声コーデック、４１…メインバス、４２…同期バス、４３…送受信回路部、４４…アンテナ、４５…記録再生部、４６…メモリカード、４７…記憶部。
【図１】
2008005456.tif 000003
【図２】
2008005456.tif 000004
【図３】
2008005456.tif 000005
【図４】
2008005456.tif 000006
【図５】
2008005456.tif 000007
【図６】
2008005456.tif 000008
【図７】
2008005456.tif 000009
【図８】
2008005456.tif 000010
【図９】
2008005456.tif 000011
【図１０】
2008005456.tif 000012
【図１１】
2008005456.tif 000013
【図１２】
2008005456.tif 000014
【図１３】
2008005456.tif 000015
【図１４】
2008005456.tif 000016